(57)【要約】【課題】キャップとシールパッキンとの一体化を確実とし、ずれや脱落の恐れのないシールキャップを提供すること。【解決手段】容器本体１の開口部２の外周面に螺旋状に形成された雄ネジ部３に螺合装着される雌ネジ部４を内周面に形成したキャップ本体５と、該キャップ本体５の内天井面６に容器本体１の開口部２の頂面７に密着させるために配置されたシールパッキン部分８と、キャップ本体５の外側天井面９及び外側周囲面１０を覆うカバー部分１１とを有し、前記シールパッキン部分８及びカバー部分１１が、エラストマー材料により、キャップ本体５の天井面６，９に形成された１乃至複数個の連通孔１２を通して一体的に連結形成されている。【選択図】図１
0003157091.tif 000002
【実用新案登録請求の範囲】
【請求項１】
容器本体（１）の開口部（２）の外周面に螺旋状に形成された雄ネジ部（３）に螺合装着される雌ネジ部（４）を内周面に形成したキャップ本体（５）と、該キャップ本体（５）の内天井面（６）に容器本体（１）の開口部（２）の頂面（７）に密着させるために配置されたシールパッキン部分（８）と、キャップ本体（５）の外側天井面（９）及び外側周囲面（１０）を覆うカバー部分（１１）とを有し、前記シールパッキン部分（８）及びカバー部分（１１）が、エラストマー材料により、キャップ本体（５）の天井面（６，９）に形成された１乃至複数個の連通孔（１２）を通して一体的に連結形成されていることを特徴とするシールキャップ。
【請求項２】
前記カバー部分（１１）は、キャップ本体（５）の外側周囲面（１０）の上部付近と下部付近とに環状の凹凸からなる上部係止部（１３）と下部係止部（１４）とが形成されており、これら上下部係止部（１３，１４）間の前記キャップ本体（５）の外側周囲面（１０）には、前記カバー部分（１１）との廻り止めのための上下方向に伸びる縦リブ（１５）が周方向に適宜間隔で形成されていることを特徴とする請求項１に記載のシールキャップ。
【請求項３】
前記カバー部分（１１）は、前記連通孔（１２）を通してキャップ本体（５）の外側天井面（９）の任意の範囲までを覆う状態でシールパッキン部分（８）と一体的に連結形成されていることを特徴とする請求項１に記載のシールキャップ。
【請求項４】
前記シールパッキン部分（８）には、容器本体（１）の開口部（２）の内周面に密着嵌合する環状内壁（１６）が垂設形成してあり、この環状内壁（１６）の外側に容器本体（１）の開口部（２）の頂面（７）に当接する環状突起（１７）が形成してあることを特徴とする請求項１〜３のいずれか１項に記載のシールキャップ。
【請求項５】
前記キャップ本体（５）の下端には、容器本体（１）の開口部（２）の雄ネジ部（３）の下側外周面に形成された環状凸部（１８）に係合する抜け止め用突起（１９）を内周面に突設した開封確認用リング（２０）がキャップ本体（５）の周方向複数箇所で細い連結片（２１）を介して連結してあることを特徴とする請求項１〜４の何れか１項に記載のシールキャップ。
【考案の詳細な説明】
【技術分野】
【０００１】
本考案は、液体材料や粉粒体材料を充填したボトル等の容器の開口部に適用するためのシールキャップに関するものである。
【背景技術】
【０００２】
従来、液体材料や粉粒体材料をボトルに密封充填するためにキャップの内天井面にシールパッキンを装着したものが公知である（例えば、特許文献１参照）。
【先行技術文献】
【特許文献】
【０００３】
【特許文献１】特開平１０−１２００１５号公報
【考案の概要】
【考案が解決しようとする課題】
【０００４】
しかしながら、前記キャップのシールパッキンは、キャップとの一体化が不十分であるため、反復使用している間にずれたり、外れる恐れがあり、例えば、業務用調味料容器のキャップに適用されている場合では、混練中の調理品や煮沸中の調理品の中に調味料を投入する際、該シールパッキンがキャップから外れて落下混入する場合があった。また、調理場等の床面にシールパッキンが落下して、紛失したり、ばい菌等が付着する恐れもあった。さらに、シールパッキンがキャップ内でずれ動いて容器の開口頂面からずれたり、傾いたりする場合があり、シール作用が不完全となって、容器内に充填されている液体材料や粉粒体材料が、蒸散、吸湿、酸化、漏洩等、変質、劣化する恐れもあった。
【０００５】
本考案は、従来のシールキャップの前記問題点に鑑みて開発されたもので、その目的とするところは、キャップとシールパッキンとの一体化を確実とし、ずれや脱落の恐れのないシールキャップを提供することにある。
【課題を解決するための手段】
【０００６】
前記目的を達成するために本考案は、容器本体の開口部の外周面に螺旋状に形成された雄ネジ部に螺合装着される雌ネジ部を内周面に形成したキャップ本体と、該キャップ本体の内天井面に容器本体の開口部の頂面に密着させるために配置されたシールパッキン部分と、キャップ本体の外側天井面及び外側周囲面を覆うカバー部分とを有し、前記シールパッキン部分及びカバー部分が、エラストマー材料により、キャップ本体の天井面に形成された１乃至複数個の連通孔を通して一体的に連結形成されていることを特徴としている。
【０００７】
この構成によれば、シールパッキン部分と、カバー部分とが、キャップ本体の内外で一体的に連結されているため、キャップ本体とシールパッキン部分との一体化が確実となり、キャップ本体におけるシールパッキン部分のずれや脱落を防止することができる。しかも、エラストマー材料からなるカバー部分でキャップ本体の外側天井面及び外側周囲面を覆っているため、手に馴染みやすく、かつ、滑り難くなり、容器本体に対するキャップ本体の開け閉めを容易とすることができる。さらに、エラストマー材料に種々の着色剤を混入して、キャップ本体の色調に対して、カバー部分を異色の種々の色調に着色することができ、これによって、容器本体内に充填される材料の用途表示や品質表示、取扱注意表示（例えば、薬品類では、赤色は有毒物乃至危険物、黄色は・・・、青色は・・・等）が可能となり、また、化粧品類では、高級感や上品なイメージを付与する等の等級の識別に利用することができ、調味料類でも種類など同様な識別に利用することができる。
【０００８】
また、前記カバー部分は、キャップ本体の外側周囲面の上部付近と下部付近とに環状の凹凸からなる上部係止部と下部係止部とが形成されており、これら上下部係止部間の前記キャップ本体の外側周囲面には、前記カバー部分との廻り止めのための上下方向に伸びる縦リブが周方向に適宜間隔で形成されていることを特徴としている。
この構成によれば、上下の係止部によって、カバー部分がキャップ本体から抜け出すことを防止させることができると共に、縦リブによって、カバー部分とキャップ本体との周方向の廻り止めを確実に行わせることができる。
【０００９】
また、前記カバー部分は、前記連通孔を通してキャップ本体の外側天井面の任意の範囲までを覆う状態でシールパッキン部分と一体的に連結形成されていてもよい。
この構成によれば、シールパッキン部分と、カバー部分とが、キャップ本体の内外で一体的に連結されているため、キャップ本体とシールパッキン部分との一体化が確実となり、キャップ本体におけるシールパッキン部分のずれや脱落を防止することができる。
【００１０】
また、前記シールパッキン部分には、容器本体の開口部内周面に密着嵌合する環状内壁が垂設形成してあり、この環状内壁の外側に容器本体の開口部の頂面に当接する環状突起が形成してあることを特徴としている。
この構成によれば、キャップ本体を容器本体の開口部に螺合装着したとき、環状内壁の外周面が容器本体の開口部の内周面に密着嵌合することと、環状突起が容器本体の開口部の頂面に当接することとによって、シール性が向上し、例えば、容器本体内に充填される内容物が膨張性のものである場合でも、環状内壁が容器本体の開口部の内周面に益々強く密着することになる。
【００１１】
また、前記キャップ本体の下端には、容器本体の開口部の雄ネジ部の下側外周面に形成された環状凸部に係合する抜け止め用突起を内周面に突設した開封確認用リングがキャップ本体の周方向複数箇所で細い連結片を介して連結してあることを特徴としている。
この構成によれば、容器本体に充填された内容物を取り出すためにキャップ本体を螺合解除方向に回動させると、雄ネジ部に対する雌ネジ部の螺合関係により、キャップ本体が容器本体の開口部から抜け出す方向に移動し、この移動に対して、抜け止め用突起が容器本体の開口部の環状凸部に係合していることによって開封確認用リングの移動が阻止され、細い連結片が破断されて開封確認用リングが容器本体の開口部に残ったままとなる。これによって、キャップ本体の開封の有無を容易に確認することができる。また、容器本体内の内容物の膨張力によってキャップ本体が容器本体の開口部に対して螺合解除方向に回動しようとすることを開封確認用リングで防止させることができる。
【考案の効果】
【００１２】
本考案によれば、キャップとシールパッキンとの一体化を確実とし、ずれや脱落の恐れのないシールキャップを提供することができる。
【図面の簡単な説明】
【００１３】
【図１】本考案に係るシールキャップの縦断正面図である。
【図２】本考案に係るシールキャップの平面図である。
【図３】本考案に係るシールキャップの要部拡大縦断正面図である。
【考案を実施するための形態】
【００１４】
以下、本考案の実施形態を図面を参照して説明する。
本考案のシールキャップは、図１、図２に示すように、容器本体１の開口部２の外周面に螺旋状に形成された雄ネジ部３に螺合装着される雌ネジ部４を内周面に形成したキャップ本体５と、該キャップ本体５の内天井面６に容器本体１の開口部２の頂面７に密着させるために配置されたシールパッキン部分８と、キャップ本体５の外側天井面９及び外側周囲面１０を覆うカバー部分１１とを有し、前記シールパッキン部分８及びカバー部分１１が、エラストマー材料により、キャップ本体５の内外天井面６，９を貫通して形成された１乃至複数個の連通孔１２を通して一体的に連結形成されている。
【００１５】
前記カバー部分１１は、キャップ本体５の外側周囲面１０の上部付近と下部付近とに環状の凹凸からなる上部係止部１３と下部係止部１４とが形成されており、これら上下部係止部１３，１４間の前記キャップ本体５の外側周囲面１０には、前記カバー部分１１との廻り止めのための上下方向に伸びる縦リブ１５が周方向に適宜間隔で形成されている。
前記シールパッキン部分８には、容器本体１の開口部２の内周面に密着嵌合する環状内壁１６が垂設形成してあり、この環状内壁１６の外側に容器本体１の開口部２の頂面７に当接する環状突起１７が形成してある。環状内壁１６の下端外周面には、容器本体１の開口部２の内周面への挿入を容易化するための案内テーパー面１６ａが形成してある。
【００１６】
前記キャップ本体５の下端には、容器本体１の開口部２の雄ネジ部の下側外周面に形成された環状凸部１８に係合する抜け止め用突起１９を内周面に突設した開封確認用リング２０がキャップ本体５の周方向複数箇所で細い連結片２１を介して連結してある。
容器本体１は、例えば、ＨＤＰＥ（高密度ポリエチレン）、又は、他のプラスチック材料で射出成形されている。しかし、容器本体１は、ガラス材料で製造されていてもよい。
【００１７】
キャップ本体５は、例えば、ＰＰ（ポリプロピレン）、又は、他のプラスチック材料で射出成形されており、開封確認用リング２０も同時に成形される。
シールパッキン部分８及びカバー部分１１を構成するエラストマー材料としては、ＳＥＢＣ、スチレン・エチレンブチレン・オレフィン結晶、ＣＥＢＣ、オレフィン結晶・エチレンブチレン・オレフィン結晶、ＨＳＢＲ、水添スチレンブタジエンラバー、ＰＥ・ＬＤ、ＰＥＬ−ＬＤ、メタロセン系ＰＥ、エラストマー（スチレン系ＰＳ）、エラストマー（オレフィン系）、ウレタン（ＰＵＲ）、塩化ビニール（ＰＶＣ）、エバー（ＥＶＡ）、エバー（ＥＥＡ）、酢酸（ＰＶＡＣ）、フッソ系（ＰＶＤＦ）、ポリエステル系、ポリウレタン系、ポリエーテル系、シリコン等が例示される。
【００１８】
本考案のシールキャップは、上記構成からなるため、キャップ本体５とシールパッキン部分８との一体化が確実となり、キャップ本体５におけるシールパッキン部分８のずれや脱落を防止することができる。しかも、エラストマー材料からなるカバー部分１１でキャップ本体５の外側天井面９及び外側周囲面１０を覆っているため、手に馴染みやすく、かつ、滑り難くなり、容器本体１に対するキャップ本体５の開け閉めを容易とすることができる。さらに、エラストマー材料に種々の着色剤を混入して、キャップ本体５の色調に対して、カバー部分１１を異色の種々の色調に着色することができ、これによって、容器本体内に充填される材料の用途表示や品質表示、取扱注意表示、例えば、薬品類では、赤色は有毒物乃至危険物、黄色は・・・、青色は・・・等が可能となり、また、化粧品類では、高級感や上品なイメージを付与する等の等級の識別に利用することができ、調味料類でも種類など同様な識別に利用することができる。
【００１９】
また、上下の係止部１３，１４によって、カバー部分１１がキャップ本体５から抜け出すことを防止させることができると共に、縦リブ１５によって、カバー部分１１とキャップ本体５との周方向の廻り止めを確実に行わせることができる。
さらに、キャップ本体５を容器本体１の開口部２に螺合装着したとき、環状内壁１６の外周面が容器本体１の開口部２の内周面に密着嵌合することと、環状突起１７が容器本体１の開口部２の頂面７に当接することとによって、シール性が向上し、例えば、容器本体１内に充填される内容物が膨張性のものである場合でも、環状内壁１６が容器本体１の開口部２の内周面に益々強く密着することになる。
【００２０】
また、前記キャップ本体５の下端には、容器本体１の開口部２の雄ネジ部３の下側外周面に形成された環状凸部１８に係合する抜け止め用突起１９を内周面に突設した開封確認用リング２０がキャップ本体５の周方向複数箇所で細い連結片２１を介して連結してあるため、容器本体１に充填された内容物を取り出すためにキャップ本体５を螺合解除方向に回動させると、雄ネジ部３に対する雌ネジ部４の螺合関係により、キャップ本体５が容器本体１の開口部２から抜け出す方向に移動し、この移動に対して、抜け止め用突起１９が容器本体１の開口部２の環状凸部１８に係合していることによって開封確認用リング２０の移動が阻止され、細い連結片２１が破断されて開封確認用リング２０が容器本体１の開口部２に残ったままとなる。これによって、キャップ本体５の開封の有無を容易に確認することができる。また、容器本体１内の内容物の膨張力によってキャップ本体５が容器本体１の開口部２に対して螺合解除方向に回動しようとすることを開封確認用リング２０で防止させることができる。
【００２１】
上記した実施形態において、カバー部分１１は、連通孔１２を通してキャップ本体５の外側天井面９の任意の範囲までを覆う状態でシールパッキン部分８と一体的に連結形成されていてもよい。
【産業上の利用可能性】
【００２２】
本考案のシールキャップは、プラスチック製ボトル、金属製ボトル、ガラス製ボトル等の各種の容器本体の開口部を密封する手段に広く利用することができる。
【符号の説明】
【００２３】
１    容器本体
２    開口部
３    雄ネジ部
４    雌ネジ部
５    キャップ本体
６    内天井面
７    頂面
８    シールパッキン部分
９    外側天井面
１０    外側周囲面
１１    カバー部分
１２    連通孔
１３    上部係止部
１４    下部係止部
１５    縦リブ
１６    環状内壁
１６ａ    案内テーパー面
１７    環状突起
１８    環状凸部
１９    抜け止め用突起
２０    開封確認用リング
２１    連結片
【図１】
0003157091.tif 000003
【図２】
0003157091.tif 000004
【図３】
0003157091.tif 000005